(57)【要約】【課題】メロディデータや動画データなどの、着信時情報を提供するサーバー側が、ユーザー毎の様々な利用形態に応じた、複雑な著作権料の管理を不要にでき、しかも、ユーザーが、通信費用が高額になってしまうことを心配しないで、納得がゆく編集作業を行うことができるようにする。【解決手段】サーバーＳと、このサーバーと通信手段Ｎを介して接続可能な携帯電話１とからなり、サーバーは、予め設定したデータ単位での音楽や動画を携帯電話に提供する機能を備え、携帯電話は、編集プログラムを記憶するアプリケーション領域３と、着信時情報を記憶し、その着信時情報を再生する機能を備えた着信時情報管理領域２とを備え、上記編集プログラムは、上記サーバーから、特定の音楽や動画をダウンロードしてアプリケーション領域３に記憶させ、ダウンロードしたデータを着信時情報として編集し、上記着信時情報管理領域に記憶させる機能を備えた。【選択図】  図１
2004328439.tif 000002
【特許請求の範囲】
【請求項１】
音楽や動画を提供するサーバーと、このサーバーと通信手段を介して接続可能な携帯電話とからなり、サーバーは、予め設定したデータ単位での音楽や動画を携帯電話に提供する機能を備え、携帯電話は、編集プログラムを記憶するアプリケーション領域を備えるとともに、着信メロディまたは着信動画などの着信時情報を記憶する機能と、その着信時情報を再生する機能とを備えた着信時情報管理領域を備え、上記編集プログラムは、上記サーバーから、特定の音楽や動画をダウンロードして上記アプリケーション領域に記憶させる機能と、ダウンロードした特定の音楽や動画を着信時情報として編集し、それを上記着信時情報管理領域に記憶させる機能とを備えた着信時情報編集システム。
【請求項２】
編集プログラムは、音楽や動画データの複数の部分を抽出して、それらを結合する機能を有するとともに、結合部分に前後のデータの特性を段階的に連続させる緩衝領域を設けることを特徴とする請求項１に記載の携帯電話の着信時情報編集システム。
【発明の詳細な説明】
【０００１】
【発明の属する技術分野】
この発明は、携帯電話の着信メロディや、着信時の画面などを編集するシステムに関する。
【０００２】
【従来の技術】
携帯電話などにおいて、電話が掛かってきたとき、つまり、着信時にならす音（以下、着信メロディという）を、ウェブサイトから購入し、ダウンロードして利用することがある。
また、着信メロディとして、利用するための様々なメロディデータの特定な部分を抽出して、それを購入したり、複数のメロディデータを結合したりして編集する着信メロディ編集サイトも有る。
【０００３】
このような編集サイトでは、ユーザーが、サーバー側の編集プログラムを利用して、特定のメロディデータの中から、好みの部分を抽出したり、複数の部分をつなぎ合わせたりして、好みの着信メロディを作成する。
具体的には、まず、ユーザーは、携帯電話で、上記着信メロディ編集サイトにアクセスして、利用したい１または複数のメロディデータを選択する。そして、それらの全部または一部分を、試聴しながら、複数の部分を抽出し、さらにつなぎ合わせて、所定の長さの着信メロディを作り上げる。最後に、自分で編集した着信メロディを試聴して、納得すれば、それを携帯電話にダウンロードする。ダウンロードした着信メロディは、携帯電話の着信メロディ記憶部に記憶される。この着信メロディ記憶部に記憶したものは、他の着信メロディと同様に、好きなときに、着信メロディとして設定できる。
【０００４】
【発明が解決しようとする課題】
上記のような編集サイトでは、提供するメロディデータの著作権料をそれぞれの作家に支払う必要がある。この著作権料は、例えば、１つの楽曲を全部提供した場合と、部分的に提供する場合とでは異なるし、１曲でも、曲によって料金が異なることもある。また、試聴させるだけの場合と、ダウンロードさせる場合とでも異なる。さらに、一定時間未満の、短時間の試聴の場合には、無料である。つまり、様々な利用形態に応じて細かく料金が設定されている。
【０００５】
そのため、上記編集サイトの管理者側では、編集サイトを利用するユーザーに対しては、簡単な料金規定を設定したとしても、作家に対して著作権料を支払うために、ユーザーの利用状況を細かく管理しておく必要がある。すなわち、ユーザーがどのメロディデータを、どのくらいの長さ利用したのか、どれだけの長さのメロディデータを、何回試聴したのかというようなデータを、すべて管理しなければならない。このような、ユーザーの利用履歴データを保存し、集計することは非常に面倒であった。
【０００６】
また、上記システムでは、ユーザーが、利用する編集プログラムが、サーバー側にあるため、着信メロディの編集中は、ユーザーの端末とサーバーとを接続しておく必要がある。ユーザーが、何回も試聴しながら、メロディデータの特定の部分を抽出したり、つなぎ合わせたりする作業を繰り返し行おうとすると、通信費が、高くなってしまって、ユーザーの、経済的負担が大きくなってしまうという問題もあった。
【０００７】
この発明の目的は、メロディデータや動画データなどの、着信時情報を提供するサーバー側が、ユーザー毎の様々な利用形態に応じた、複雑な著作権料の管理を不要にでき、しかも、ユーザーが、通信費用が高額になってしまうことを心配しないで、納得がゆく編集作業を行うことができる、携帯電話の着信時情報編集システムを提供することである。
【０００８】
【課題を解決するための手段】
第１の発明は、音楽や動画を提供するサーバーと、このサーバーと通信手段を介して接続可能な携帯電話とからなり、サーバーは、予め設定したデータ単位での音楽や動画を携帯電話に提供する機能を備え、携帯電話は、編集プログラムを記憶するアプリケーション領域を備えるとともに、着信メロディまたは着信動画などの着信時情報を記憶する機能と、その着信時情報を再生する機能とを備えた着信時情報管理領域を備え、上記編集プログラムは、上記サーバーから、特定の音楽や動画をダウンロードして上記アプリケーション領域に記憶させる機能と、ダウンロードした特定の音楽や動画を着信時情報として編集し、それを上記着信時情報管理領域に記憶させる機能とを備えた点に特徴を有する。
なお、上記着信時情報とは、携帯電話に着信があったときに、それを知らせるために鳴らす音楽や、ディスプレイに表示させる動画のデータである。
【０００９】
第２の発明は、第１の発明を前提とし、編集プログラムは、音楽や動画データの複数の部分を抽出して、それらを結合する機能を有するとともに、結合部分に前後のデータの特性を段階的に連続させる緩衝領域を設けることを特徴とする。
【００１０】
【発明の実施の形態】
図１〜図１６を用いて、この発明の実施例を説明する。
この実施例の着信時情報編集システムは、図１に示すように、着信メロディとして編集可能なメロディデータを提供するサーバーＳと、このサーバーＳに通信手段Ｎを介して接続可能にしたユーザーの携帯電話１とによって構成される。
上記サーバーＳ側は、多数のメロディデータとともに、これらのメロディデータを編集するための編集プログラムも備えていて、これらを、サーバーＳにアクセスしてきた携帯電話１にダウンロードさせるサービスを行っている。
【００１１】
一方、携帯電話１は、図２に示すように、着信時情報管理領域２と、アプリケーション領域３とを備えている。そのほかに、図示していないが、通常の電話機としての通信機能などを有する領域も備えている。
上記着信時情報領域２には、着信メロディ制御部２ａと、着信メロディ記憶部２ｂとを備えている。そして、着信メロディ記憶部２ｂには、複数の着信メロディを記憶しておくことができ、上記着信メロディ制御部２ａは、着信メロディ記憶部２ｂに記憶している着信メロディの中から、好みのメロディを、着信メロディとして設定することができる。つまり、この実施例では、着信メロディが、この発明の着信時情報である。
【００１２】
また、アプリケーション領域３は、プログラム記憶部３ａと、メロディデータ記憶部３ｂとを備えている。このプログラム記憶部３ａには、電話機能とは直接関連しない様々なアプリケーションプログラムを設定できるようにしている。
ユーザーは、上記サーバーＳにアクセスし、着信メロディ編集プログラムをダウンロードして、携帯電話１のアプリケーション領域３のプログラム記憶部３ａに記憶させる。ただし、この着信メロディ編集プログラムは、予め、携帯電話１のプログラム記憶部３ａに設定しておくこともできる。
【００１３】
以下に、アプリケーション領域３に設定した編集プログラムを利用して、ユーザーが、着信メロディを編集する手順を説明する。
まず、ユーザーは、携帯電話１を用いて、サーバーＳにアクセスする。そして、編集に利用したいメロディデータをダウンロードする。ダウンロードの手順は、特に図示していないが、例えば、曲名リスト画面から曲名を選択して、ダウンロードする。必要なら、無料の範囲で試聴させてもかまわない。
【００１４】
ただし、この発明のシステムでは、着信メロディとして利用したい部分が含まれているメロディデータを、そのまま携帯電話１にダウンロードさせる。つまり、サーバーＳは、従来のように、必要な部分を抽出して編集した結果をダウンロードさせるのではなく、例えば、１曲丸ごとダウンロードさせる。ダウンロードさせる単位は、曲単位だけでなく、例えば、第１楽章だけ、というような単位でもかまわないが、サーバーＳ側で予め決めたデータ単位でのダウンロードしかできないようにしている。
ユーザーが、複数のメロディデータをダウンロードすると、携帯電話１のアプリケーション領域３では、ダウンロードしたメロディデータを、メロディデータ記憶部３ｂに記憶させる。
【００１５】
次に、図３〜図９の編集画面に従って、着信メロディの編集を行う。
図３のメロディデータ選択画面を表示させると、そこには、上記メロディデータ記憶部３ｂにダウンロードして記憶させたメロディデータ名５が表示され、その左隣には、チェックボックス６が表示される。また、画面下方には、図示しないメニュー画面に戻るキャンセルボタン７と、メロディデータの選択を決定して、次のステップへ進むための、次へボタン８とが、表示される。そこで、編集に利用したいメロディデータに対応するチェックボックス内にチェックして、次へボタン８を押す。
【００１６】
なお、図３〜図９に示す、携帯電話１の編集画面上のボタンは、実際には押せないが、ここでは、押すと表現することにする。そして、その操作は、携帯電話本体に設けられた矢印キーや決定キーによって行う。例えば、矢印キーで、画面上のボタンの位置を特定し、決定キーによって、そのボタンを押すことにする。あるいは、個々のテンキーやその他の操作キーに、各機能を割り当てるようにしてもよい。
【００１７】
図３のメロディデータ選択画面４で、メロディデータとして曲Ａおよび曲Ｂを選択し、次へボタン８を押すと、図４の編集画面９が表示される。この編集画面９は、先に選択したメロディデータである曲Ａと曲Ｂとに対応する時間軸１０、１１を表示する第１画面９ａと、この第１画面９ａに表示されたメロディデータを再生させるための、操作ボタンなどが並んだ第２画面９ｂとからなる。
そして、図４では、曲Ａの時間軸１０に選択マーク１２がつけられ、カーソル１３が重なっている。このカーソル１３は、メロディデータを再生する際に、再生に伴って移動し、その再生位置を示すものである。
上記第１画面９ａには、メロディデータ選択画面４で選択した曲の数だけ、時間軸が表示される。その数が多くなった場合には、第１画面９ａをスクロールさせることによって全てを順番に表示させることができる。
【００１８】
また、第２画面９ｂには、上記選択マーク１２を上下させる上下ボタン１４ａ，１４ｂの上下ボタン群１４と、メロディデータを再生するための再生ボタン群１５が表示されている。再生ボタン群１５には、再生ボタン１５ａ、一次停止ボタン１５ｂ、停止ボタン１５ｃ、戻りボタン１５ｄ、早送りボタン１５ｅが有る。これらの下には、メロディデータの一部を抽出する際に、その開始位置をセットする開始点セットボタン１６と、終了位置をセットする終了点セットボタン１７とがあり、画面下端には、戻りボタン１８と次へボタン１９とが表示されている。
【００１９】
図４の、編集画面９の状態では、上ボタン１４ａが選択されている。ここでは、選択されているボタンを反転表示しているが、図示しない矢印キーによって、ボタンの選択位置を移動させることができる。
次に、再生ボタン１５ａを選択して、決定ボタンを押せば、上記曲Ａの再生が始まり、図５に示すように、その再生に伴って、カーソル１３が移動する。ユーザーは、試聴しながら、部分データとして抽出したい位置が来たら、開始点セットボタン１６を押す。開始点セットボタン１６を押すと、その時点で、図６に示すように、開始マーク２０がつけられる。
再生を続けて、ユーザーが、抽出データの終わりにしたい所になったら、終了点セットボタン１７を押すと、その時点でカーソル１３の位置に、終了マーク２１がつけられる（図７参照）。そして、図７に示すように、時間軸１０上に、開始マーク２０と終了マーク２１とで挟まれた抽出データ部分ａが特定される。
【００２０】
次に、選択マーク１２を、下ボタン１４ｂで曲Ｂの時間軸１１に移動させる。選択マーク１２が移動すると、カーソル１３も、時間軸１１上に移動し、再生ボタン１５ａによって、曲Ｂを再生できる。曲Ｂについても、曲Ａと同様にして、開始マーク２２と終了マーク２３とをつけて、抽出データ部分ｂを特定する。
この実施例では、各曲Ａ，Ｂにおいて、一個所ずつ、抽出データ部分ａ，ｂを抽出したが、１つの曲から、複数の抽出データ部分を抽出してもかまわない。
このようにして、抽出データ部分ａ，ｂを特定したら、編集画面９の次へボタン１９を押す。
【００２１】
図７の編集画面９で次へボタン１９を押すと、図８の補正画面２４が表示される。この補正画面２４では、先に選択した抽出データ部分ａとｂとを結合する処理を行う。この補正画面２４には、抽出データ部分ａ，ｂを特定した順に並べて結合した状態で表示している。ただし、この並び順は、後で説明する手順によって変更することができる。
また、この補正画面２４には、補正レベルを設定するレベル設定欄２５と、並べ替え画面を表示さえるための並べ替えボタン２６と、現時点でのメロディデータを試聴するための試聴ボタン２７と、戻るボタン２８，保存ボタン２９とが表示されている。
【００２２】
上記結合補正とは、２つの抽出データ部分を結合する際に、その結合部分がなめらかに連続するように、補正することである。その詳細は、後で説明するが、簡単説明すると、先の抽出データ部分の終わり部分と、後の抽出データ部分の始まり部分とを、それぞれ、他方の抽出データ部分の特性に、段階的に近づけるようにすることである。それによって、例えば、異質な音楽を結合した場合でも、その結合部分で、流れがとぎれることがないようにしている。
そして、この滑らかさのレベルを、上記補正レベルとして、設定できるようにしている。
【００２３】
この補正画面２４で、試聴ボタン２７を押すと、画面に示された順序で、しかも、レベル設定欄２５で設定したレベルでの補正が行われた編集済みのデータを試聴することができる。ユーザーは、使用したメロディデータを着信メロディとすることに納得した場合には、保存ボタン２９を押す。保存ボタン２９が押されると、プログラム記憶部３ａに記憶されている編集プログラムが、編集済みのメロディデータを着信メロディとして、携帯電話１の着信メロディ記憶部２ｂに記憶させる。このようにして、一旦、着信メロディ記憶部２ｂに記憶させた着信メロディは、通常の着信メロディ設定手順によって、利用することができる。
【００２４】
一方、図８の補正画面２４に表示された抽出データ部分の並び順を変更したい場合には、並べ替えボタン２６を押して、図９に示す並べ替え画面３０を表示させることができる。
並べ替え画面３０では、抽出データ部分ａ上にカーソル３１が表示されている。このカーソル３１の位置は、携帯電話本体の矢印キーなどによって、移動させることができる。
また、この並べ替え画面３０には、カーソルで指定した抽出データ部分を、前方へ移動させる前へボタン３２と、後へ移動させる後へボタン３３と、その位置で良い場合に押すＯＫボタン３４と、戻るボタン３５とを備えている。
【００２５】
上記前へボタン３２、後へボタン３３、ＯＫボタン３４によって、抽出データ部分の並び順を調整したら、戻るボタン３５を押して、図８の補正画面２４の戻る。この補正画面２４で、試聴をしたり、必要なら補正レベルを変更したりして、ユーザーが納得する編集データを作成する。この際、必要に応じて、並べ替えボタン２６と戻るボタン３５とを用いて、並べ替え画面３０と補正画面２４とを行き来たりして、好みのデータを作成できる。
そして、最終的に決まったメロディデータを、着信メロディとして、着信メロディ記憶部２ｂに保存させる。
【００２６】
なお、上記結合補正の具体例を、図１０〜図１５を用いて説明する。
図１０は、サーバーＳからダウンロードできる単位のメロディデータであり、例えば、曲Ａと、曲Ｂである。曲Ａ、Ｂのデータは、それぞれ、題名や、作者などの情報ヘッダＨＡ，ＨＢと、全体の音量などのマスタ情報ＭＡ，ＭＢと、特定部分のテンポやキーなどのヘッダｈＡ，ｈＢと、メロディそのもののデータ部ｄＡ，ｄＢとを備えている。
上記特定部分のヘッダは、テンポやキー等が、変化する部分に対応付けて設けるデータである。例えば、曲Ａの中で、テンポが異なるデータ部ｄＡ１と、ｄＡ２とが有れば、それぞれのデータ部に、異なるヘッダｈＡ１と、ｈＡ２とをつけている。
【００２７】
そして、この実施例で曲Ａから抽出した抽出データ部分ａと、曲Ｂの抽出データ部分ｂとが、図１０で示すように、データ部ｄＡ１と、ｄＢ２の一部であるとしたとき、それらをそのまま結合したときのデータは、図１１のように図示できる。つまり、上記抽出データ部分ａは、データ部ｄＡ１の一部なので、この抽出データ部分ａに対応するヘッダはヘッダｈＡ１であり、抽出データ部分ｂのヘッダはヘッダｈＢ２である。これらを、単につなぎ合わせ、結合部の補正を行わない状態を補正レベル０としている。なお、題名などの情報ヘッダＨＡＢや、マスタ情報ＭＡＢは、結合したメロディデータ用に新たに作成している。
そして、抽出データ部分ａと部分ｂとのテンポやキーなどの特性に差が有った場合、補正レベルゼロでは、図１２のように、部分ａとｂとの結合部に大きな段差ができる。
【００２８】
この段差を分割して、小さな段差を増やして連続させてゆくのが、結合部の補正処理である。実施例では、上記段差の中間に新たな段差を１つ設ける補正を行うものをレベル１とし、そのモデルを図１３と図１４に示している。
このレベル１では、図１１の部分ａを図１３に示す部分ａ１とａ２とに分割し、部分ｂを部分ｂ１と、ｂ２とに分割している。そして、部分ａ２とｂ１とに、新たに作成した共通のヘッダｈ’をつけている。また、残りの部分ａ１には、部分ａのヘッダｈＡ１をつけ、部分ｂ２には、部分ｂのヘッダｈＢ２をつけている。上記ヘッダｈ’＝（ｈＡ１＋ｈＢ２）／２である。すなわち、ヘッダｈ’は、前後のヘッダｈＡ１とヘッダｈＢ２との平均値である。
【００２９】
これにより、曲Ａの抽出部分と、曲Ｂの抽出部分との結合部に、中間的なヘッダｈ’を持つ緩衝領域Ｓを設けている。そして、この緩衝領域Ｓの時間は２ｔで、両抽出データ部分ａ，ｂの結合部側から、それぞれ時間ｔの範囲を補正することによって作成している。２つの曲から抽出した２つの抽出データ部分をそのまま結合した場合にできる段差２Δｈ（Δｈの２倍）の中間に、新たな段を設けたことになる。その結果、緩衝領域Ｓを作成しない場合と比べて、滑らかな結合ができ、編集済みのメロディデータを、１つのメロディとして、違和感無く聞くことができるようになる。
【００３０】
また、レベル２とは、図１５に示すように、レベル１で作成した緩衝領域Ｓ内の部分ａ２をさらにａ３とａ２とに分割し、また、部分ｂ１を、ｂ１とｂ３とに分割し、緩衝領域Ｓ内の段数を２倍にしてより滑らかにするものである。つまり、段差Δｈの中間に、新たな段差を設けたことになる。
同様にして、各段差の中間に、新たな段差を設けて、段数を２倍に増やしてゆくことによって、より滑らかな結合ができるようになる。つまり、レベル３として、Δｈの段差を４等分するものを設定するというものである。
【００３１】
しかし、この補正方法は、どのようなものでもかまわない、例えば、図１６のように、レベル３として、上記段差Δｈを３分割して段差数を増やす補正方法もあるし、その他どのような演算によってもかまわない。要するに、元々、ヘッダｈの値に差があるデータ部を結合する結合部分に、多段階的に連続する緩衝領域Ｓを作成すればよいのである。
そして、この実施例では、上記携帯電話１にダウンロードした編集プログラム内に、複数の補正レベルを設定して、ユーザーが、選択できるようにしている。
【００３２】
また、この実施例では、上記緩衝領域の時間を２ｔとして固定的に設定しているが、時間ｔの決め方はこれに限らない。例えば、メロディデータ全体の長さを基準にして、何分の１というように決めても良いし、抽出データ部分の長さに応じて、決めてもよい。緩衝領域が長くなればなるほど、滑らかな結合が可能になるが、その分、もとのメロディが、分からなくなってしまうという欠点もあるので、緩衝領域Ｓを長くすればよいというものではない。
また、結合すべき抽出データ部分の特性に応じて、編集プログラムが、結合時の補正レベルを自動的に選択するようにしてもよい。例えば、前後の抽出データ部分のヘッダｈの数値の差が大きいときには、時間ｔを長くして、さらに、補正レベルを高くし、両ヘッダｈ間の差が小さいときには、時間ｔを短くし、補正レベルも低くするなどである。
【００３３】
以上のような、システムでは、メロディデータを提供するサーバーＳ側では、編集前のメロディデータを、予め決められたデータ単位でのみ、ダウンロードさせるようにしている。そのため、著作権料をメロディデータ毎に、一義的に決めることができる。従って、従来のように、ユーザーの利用形態に応じた著作権料の管理や、計算と行った煩雑な処理を行う必要がない。
一方で、ユーザー側は、一旦ダウンロードしたメロディデータを、自分の携帯電話１の編集プログラムで編集することができるので、サーバーＳとの通信時間を心配すること無く、自由に、納得ゆくまで、編集作業をすることができる。しかも、一度、ダウンロードしたメロディデータは、アプリケーション領域３のメロディデータ記憶部３ｂから削除するまでは、何度でも、それを使うことができる。
【００３４】
なお、上記実施例では、着信時情報が着信メロディの場合を説明しているが、着信時情報には、動画も含まれ、この発明は、動画データを携帯電話の着信時画像とするシステムにも利用できる。動画を着信時情報とした場合には、上記サーバーＳからは、予め設定した単位の動画データをダウンロードさせ、それをダウンロードした携帯電話で、携帯電話の着信時画像として編集するようにする。動画の場合にも、複数の動画を結合する際には、結合部分に緩衝領域を設けて、スムーズな結合をすることができる。動画データの補正としては、例えば、フェードイン、フェードアウトを利用したり、色調や、明るさを調整したりする方法が考えられる。
【００３５】
【発明の効果】
第１、第２の発明によれば、サーバー側が携帯電話に提供させる、音楽や動画データの著作権料に関して、ユーザーの利用形態に応じた複雑な管理をする必要がなくなる。
第２の発明では、複数の部分を結合する際に、その結合部に緩衝領域を設けて、より自然な連続性を持たせることができる。
【図面の簡単な説明】
【図１】実施例のシステムの全体構成図である。
【図２】実施例の携帯電話の機能を表すブロック図である。
【図３】実施例のメロディデータ選択画面である。
【図４】実施例の編集画面で、再生を始める前の状態である。
【図５】実施例の編集画面で、再生中の状態である。
【図６】実施例の編集画面で、抽出部分の開始点をセットした状態を表している。
【図７】実施例の編集画面で、全てのメロディデータから抽出部分を特定した状態を表している。
【図８】実施例の補正画面である。
【図９】実施例の並べ替え画面である。
【図１０】実施例のメロディデータを示した図である。
【図１１】実施例の抽出部分を、補正レベルゼロで結合したデータの図である。
【図１２】補正レベルゼロの結合部分の概念を説明するための図である。
【図１３】実施例のデータの結合部分で、補正レベル１での結合例を示す図である。
【図１４】実施例の補正レベル１を説明するための図である。
【図１５】補正レベル２の例を説明するための図である。
【図１６】補正レベル３の例を説明するための図である。
【符号の説明】
１          携帯電話
Ｓ          サーバー
Ｎ          通信手段
２          着信時情報管理領域
２ａ        着信メロディ制御部
２ｂ        着信メロディ記憶部
３          アプリケーション領域
３ａ        プログラム記憶部
３ｂ        メロディデータ記憶部
【図１】
2004328439.tif 000003
【図２】
2004328439.tif 000004
【図３】
2004328439.tif 000005
【図４】
2004328439.tif 000006
【図５】
2004328439.tif 000007
【図６】
2004328439.tif 000008
【図７】
2004328439.tif 000009
【図８】
2004328439.tif 000010
【図９】
2004328439.tif 000011
【図１０】
2004328439.tif 000012
【図１１】
2004328439.tif 000013
【図１２】
2004328439.tif 000014
【図１３】
2004328439.tif 000015
【図１４】
2004328439.tif 000016
【図１５】
2004328439.tif 000017
【図１６】
2004328439.tif 000018